(57)【要約】【課題】  漁船の魚倉内での低温環境下における過酷な荷揚げ作業をなくすとともに、荷揚げ作業に要する時間及び費用を大幅に短縮し得る新規な構造の魚倉、及び魚体の荷揚方法、さらにはこの魚倉を用いた魚体の保冷方法を提供する。【解決手段】  漁船の甲板下に複数併設され周囲を断熱壁で囲まれた夫々の保冷槽内に、甲板を開放した状態で上方に向け吊り上げ可能な魚体収納容器１３を保冷倉内壁に空間６を持たせて配置し、保冷倉の床面７と周囲側壁面３に夫々制振材４を配置して、該制振材を介して魚体収納容器１３を漁船側よりの振動を吸収可能に支持させ、空間６に低温ブライン液又は冷風を循環させ、魚体を荷揚げするに際し、魚体が入った容器１３を荷揚げ装置で吊り上げ、陸上に荷揚げする。【選択図】  図１
2006143084.tif 000002
【特許請求の範囲】
【請求項１】
周囲を断熱壁で囲まれ、内部に低温ブライン液又は冷風を導入して魚体を保冷する魚体保冷倉が、甲板下に複数倉並設配置された漁船構造において、
周囲を断熱壁で囲まれた夫々の保冷槽内に、甲板を開放した状態で上方に向け吊り上げ可能な魚体収納容器を保冷倉内壁に空間を持たせて配置してなり、
前記容器と対面する保冷倉の床面と周囲側壁面に夫々制振材を配置して、該制振材を介して前記魚体収納容器を漁船側よりの振動を吸収可能に支持させるとともに、同容器と保冷倉間の床面及び周囲内壁面との間に低温ブライン液又は冷風が循環可能に制振材の取り付け間隔及び取り付け位置が設定されていることを特徴とする漁船構造。
【請求項２】
前記制振材が前記魚体収納容器と対面する側にＳＵＳ板が被着された防震ゴム又は積層ゴムであることを特徴とする請求項１記載の漁船構造。
【請求項３】
前記魚体収納容器の上面に内蓋を有し、該内蓋を取り外すことにより容器上面が開放構造となっていることを特徴とする請求項１記載の漁船構造。
【請求項４】
前記魚体収納容器に荷揚げ装置で吊上げ可能とする吊り具の取り付け部を設けたことを特徴とする請求項１記載の漁船構造。
【請求項５】
前記魚体収納容器の垂直断面形状を上広がりテーパ形状とするとともに、これに合わせて保冷倉の周囲内壁面に設けた制振材の先側形状を傾斜面としたことを特徴とする請求項１記載の漁船構造。  
【請求項６】
前記魚体収納容器壁を多孔状に形成し、低温ブライン液又は冷風が流通可能に構成したことを特徴とする請求項１記載の漁船構造。
【請求項７】
請求項１記載の漁船構造において、低温ブライン液が入った前記魚体収納容器に漁獲後の魚体を入れて急速凍結し、その後前記ブライン液を保冷倉から抜き出して他の保冷倉に移送した後、前記空間に極低温冷風を供給して魚体を極低温で保冷することを特徴とする冷凍魚体の保冷方法。
【請求項８】
請求項１記載の漁船構造において、保冷倉内の魚体を荷揚げするに際し、魚体が入った前記魚体収納容器をそのまま吊り具を介して荷揚げ装置で吊り上げ、陸上に荷揚げすることを特徴とする冷凍魚体の荷揚方法。
【発明の詳細な説明】
【技術分野】
【０００１】
本発明は、たとえば近海又は遠洋のカツオ漁船や近海魚類運搬船等に適用して好適な魚倉の新規な構造、及びその魚倉を使用した凍結魚体の保冷方法及び荷揚方法に関し、特に従来の荷揚方法と比べて荷揚げに要する労力を画期的に低減し、かつ時間を大幅に低減できる荷揚方法を実現できるものである。
【背景技術】
【０００２】
現状では近海又は沿海カツオ竿釣漁船においては、釣ったカツオは、魚倉の淡水と海水との混合冷海水（０℃）に投入し、即殺後、±０℃で保蔵し、獲れてから５日以内に水揚げしている。
また遠洋カツオ竿釣漁船では、釣ったカツオは、−１５℃〜−２１℃のブライン液が入った魚倉に活きたまま投入され、短時間で凍結される。ブライン液は、通常ボーメ２２〜２４（濃度１７〜１８ｗ％）に調整された海水又は食塩水が使用される。サシミ、タタキ等生鮮用冷凍カツオは魚倉に投入するカツオの量を従来の３分の１位に制限し、ブライン液温度が−１４℃以上にならないよう厳密な温度管理のもとに高品質のブライン凍結一級品（通称Ｂ−１）を生産する。
カツオはブライン液により凍結された後、ブライン液は魚倉から取り出されて他の魚倉に移され、カツオはその後魚倉内の冷却管で−４０℃近辺の極低温に冷却され、保蔵される。
【０００３】
従来漁船などにおいて凍結した魚体を低温に保存する場合は、主として、冷媒蒸発器を構成するヘアピン式冷却コイルが使用されていた。例えば特許文献１（登録実用新案第３００７７２７号公報）には、このヘアピン式冷却コイルを魚倉の内壁面及び底面に取り付けた低温保存方式が開示されている。この方式は、冷却コイル内で直接膨張によりＲ２２又はアンモニア等の冷媒を循環させ、魚倉内の空気は自然対流による冷却方式が用いられた。
図１０にヘアピン式冷却コイルを採用した従来の魚倉の構造を示す。図１０において、従来の魚倉０１は、上面部の強度を保持するため、一般に出入り口が狭く、内壁面に冷却コイル０２を取り付け、外壁に防熱層０３を被覆していた。
【０００４】
しかし前記冷却コイル方式では、自然対流による冷却方式のため、伝熱作用が低く、そのためコイルの長さが長大となり、冷媒所要量が多くなり、工事施工費が増加するとともに、コイル重量が船体に及ぼす負担も大きくなるという問題がある。
また冷媒所要量が多いことは、コイル内の冷媒の流れに安定性を欠き、冷凍機に液バックが生じる危険性も大きくなり、運転調整面の負担も大きくなる問題がある。
【０００５】
さらに冷却コイルと内壁面との間に魚のひれ等が入って、それを除去するのに大変な労力が要り、また冷却コイルに亜鉛メッキ鋼管を使用しているため、ブライン液によって容易に腐食して穴が開き、これによって冷媒として使用されているアンモニアが噴出したり、ブライン液が冷却コイル内に流入してしまい、この補修に膨大な労力と時間が費やされるという問題点があった。
【０００６】
前記問題点を解決する手段として、エアクーラ方式が考えられる。しかしエアクーラ方式は、冷却器の自重量、所要冷媒量の軽減化には適しているが、カツオ、マグロ等の保存にはほとんど用いられていない。
カツオ、マグロ等の魚体は、生食の刺身に供されるので、特に鮮度、鮮色の保持が重要であり、この鮮度、鮮色の保持のためには、２〜３℃の温度変動でも好ましくない。
エアクーラ方式では、冷却コイルに着霜が激しく、除霜するため、一般的な方法である撒水や冷媒ホットガスによる除霜は、周辺の温度上昇を招く。
【０００７】
特許文献２（特公平５−４０２２８号公報）には、エアクーラ方式の前記問題点を解消する冷凍魚体の保冷方法が開示されている。
この方法は、魚倉を２重壁構造とし、外壁の間に冷風循環空間をもうけて内側に冷風吸込口及び冷風吹出口以外は密閉式の保冷室を設け、冷風循環空間に送風機と冷媒蒸発器とを有する冷風発生装置を設け、（Ａ）まず冷風吸込口及び冷風吹出口を開いて、冷風発生装置を運転して、冷風を冷風循環空間及び保冷室に冷風を供給し、冷風発生装置に着霜させて除湿を行い、（Ｂ）次に撒水その他一般的な方法で冷風発生装置の除霜を行い、（Ｃ）その後冷風吸込口及び冷風吹出口を閉じ、魚体を保冷室に投入して引き続き冷風発生装置の運転を行う。
【０００８】
【特許文献１】登録実用新案第３００７７２７号公報
【特許文献２】特公平５−４０２２８号公報
【発明の開示】
【発明が解決しようとする課題】
【０００９】
特許文献２に開示された方法は、冷風循環空間を魚体の保冷運転に先立って除湿し、この除湿により冷風発生装置の冷却コイルに付着した霜を保冷室に魚体が収納される以前に除去できるため、除霜作業が冷風発生装置の運転を中断することによって生ずる魚体への悪影響を廃し、保冷室を常に一定の温度に保つことができ、かつ魚体には直接冷風が当たらないため、乾燥によって品質を低下させないという利点があるが、魚体の荷揚げ作業を行う場合には、次のような問題点がある。
【００１０】
すなわち魚体の荷揚げ作業を行う場合には、魚倉内では魚体同士が凍り付いてくっ付いた状態であり、作業員が狭い入口から魚倉内にはいり、ハンマやバールなどで凍り付いた魚体をたたき、１匹ごとに引き剥がす。同時に魚体を引き上げるモッコと称する網を魚倉内に入れて、作業員が引き剥がした魚体を１匹ずつモッコに入れ、モッコで釣り上げた後、陸上の選別機などにもっていく。
このように−４０℃近辺あるいはそれ以下という極低温空間の中で作業員は過酷な労働を強いられるとともに、全部の魚体を荷揚げするまでに長い時間を要する。平均して１隻当たり３日前後かかり、何百万円もの費用がかかるという問題がある。
【００１１】
本発明は、かかる従来技術の課題に鑑み、現状の魚体の荷揚げ作業が作業員に強いる過酷な労働をなくするとともに、荷揚げ作業に要する時間を大幅に短縮し得る新規な構造の魚倉、及びその魚倉を使用した魚体の荷揚方法、さらには魚体を魚倉に貯蔵している間においても、魚体の品質を低下させることのない凍結魚体の保冷方法を提供することを目的とする。
【課題を解決するための手段】
【００１２】
本発明の第１の手段は、かかる目的を達成するもので、周囲を断熱壁で囲まれ、内部に低温ブライン液又は冷風を導入して魚体を保冷する魚体保冷倉が、甲板下に複数倉並設配置された漁船構造において、周囲を断熱壁で囲まれた夫々の保冷槽内に、甲板を開放した状態で上方に向け吊り上げ可能な魚体収納容器を保冷倉内壁に空間を持たせて配置してなり、前記容器と対面する保冷倉の床面と周囲側壁面に夫々制振材を配置して、該制振材を介して前記魚体収納容器を漁船側よりの振動を吸収可能に支持させるとともに、同容器と保冷倉間の床面及び周囲内壁面との間に低温ブライン液又は冷風が循環可能に制振材の取り付け間隔及び取り付け位置が設定されていることを特徴とする漁船構造に係る。
【００１３】
本発明においては、保冷倉の隔壁を２重構造とし、内側隔壁を構成する前記魚体収納容器に魚体を収納させるとともに、陸上への荷揚げに際しては、魚体収納容器を荷揚げ装置によって吊り上げて荷揚げする。  
本発明において、好ましくは、前記制振材として、魚体収納容器と対面する側にＳＵＳ板が被着された防震ゴム又は積層ゴムを使用し、漁船のローリング及びピッチング等に起因した揺動を吸収するようにする。防震ゴム又は積層ゴムとして、例えばシリコンゴムが使用可能である。
【００１４】
また本発明において、好ましくは、前記容器の上面に内蓋を有し、該内蓋を取り外すことにより容器上面を開放構造とする。
また好ましくは、前記容器に荷揚げ装置で吊上げ可能とする吊り具の取り付け部を設ける。さらに好ましくは、前記容器の垂直断面形状を上広がりテーパ形状とするとともに、これに合わせて保冷倉の周囲内壁面に設けた制振材の先側形状を傾斜面とする。
【００１５】
本発明の第１の手段による保冷倉の構造を模式的に示した図１及び図２で説明する。図１は平面図、図２は立面図である。図１及び図２において、漁船の船体１が隔壁３により区画され、隔壁３で仕切られた各区画が保冷倉２を構成する。各保冷倉２の内部には、制振材４、例えば防震ゴム又は積層ゴムなどによって支持された魚体収納容器５が設置される。魚体収納容器５は、吊り上げ可能なように同容器と対面する保冷倉の床面７と周囲側壁面３に夫々配置された制振材４に支持される。容器５には魚体が収納され、隔壁３及び床面７と容器５との間には低温ブライン液又は冷風が循環する空間６が設けられ、同空間６にブライン液又は冷風等の冷媒が循環されて、魚体の凍結又は保冷を行なう。
【００１６】
また本発明において、好ましくは、前記魚体収納容器壁を多孔状に（パンチングメタル若しくはメッシュ状に）形成し、低温ブライン液又は冷風が前記容器内部に流通可能に構成し、前記空間６に循環する低温ブライン液又は冷風を前記容器内に収納された魚体に接触して冷凍又は保冷効果を向上させる。ただし前記容器壁を周囲から低温ブライン液又は冷風が流入しない密閉構造としてもよい。この場合、好ましくは容器壁を熱良導体で形成して、保冷倉の隔壁と容器間を循環する低温ブライン液又は冷風の冷熱が容器内に良く伝達するようにする。
【００１７】
また本発明の第２の手段として、冷凍魚体の保冷方法を提案する。その構成は、本発明の漁船構造において、低温ブライン液が入った前記容器に漁獲後の魚体を入れて急速凍結し、その後前記ブライン液を保冷倉から抜き出して他の保冷倉に移送した後、前記空間に極低温冷風を供給して魚体を極低温で保冷することを特徴とする。低温ブライン液は、例えば−１５℃〜−２３℃の温度とし、極低温冷風は、例えば−４０℃近辺あるいはそれ以下の温度とする。  
【００１８】
本発明の保冷方法を実施する場合において、容器壁を前述のように低温ブライン液又は冷風が流入しない密閉構造とした場合、魚体の急速凍結時予め容器内に低温ブライン液を注入しておき、急速凍結が終了した後、容器内のブライン液を排出し、その後保冷倉の内壁と容器壁との空間６に極低温冷風を供給して魚体を保冷する。
【００１９】
また本発明の第３の手段として、冷凍魚体の荷揚方法を提案する。その構成は、本発明の漁船構造において、保冷倉内の魚体を荷揚げするに際し、魚体が入った前記容器をそのまま吊り具を介して荷揚げ装置で吊り上げ、陸上に荷揚げすることを特徴とする。
これによって魚体の荷揚げの際に、漁船の低温下における保冷倉内での作業がまったく不要となる。
【発明の効果】
【００２０】
本発明によれば、周囲を断熱壁で囲まれた夫々の保冷槽内に、甲板を開放した状態で上方に向けつり上げ可能な魚体収納容器を保冷倉内壁に空間を持たせて配置してなり、前記容器と対面する保冷倉の床面と周囲側壁面に夫々制振材を配置して、該制振材を介して前記魚体収納容器を漁船側よりの振動を吸収可能に支持させるとともに、同容器と保冷倉間の床面及び周囲内壁面との間に低温ブライン液又は冷風が循環可能に制振材の取り付け間隔及び取り付け位置が設定されていることにより、この保冷倉によって冷凍魚体を荷揚げするに際しては、前記容器を荷揚げ装置で吊り上げ、陸上に荷揚げすることを可能にする。
【００２１】
これによって従来作業員が行っていた−４０℃近辺あるいはそれ以下での極低温環境における魚体の荷揚げ作業が全く不要になり、荷揚げ作業環境が著しく改善される。
この場合、好ましくは、制振材として容器と対面する側にＳＵＳ板が被着された防震ゴム又は積層ゴムを使用することにより、漁船のローリング及びピッチング等に起因した揺動を容易に吸収することができる。ゴムの材質はシリコンゴムであり、優れた防湿・絶縁性及び耐酸性があるために、保冷倉の低温環境においても耐久性があり、また低摩擦性であるために、容器壁との摺動面で低摩擦性を保持して漁船の揺れに起因した容器の揺れを効果的に逃がすことができる。
【００２２】
また好ましくは、容器の上面に内蓋を有し、該内蓋を取り外すことにより容器上面を開放構造とすることにより、魚体の収納又は取り出しが極めて容易になるという利点がある。
また好ましくは、容器に荷揚げ装置で吊上げ可能とする吊り具の取り付け部を設けることにより、荷揚げ装置で容器の陸揚げを容易に行なうことができる。
【００２３】
また好ましくは、魚体収納容器の垂直断面形状を上広がりテーパ形状とするとともに、これに合わせて保冷倉の周囲内壁面に設けた制振材の先側形状を傾斜面とすることにより、容器の吊り上げが容易になるとともに、容器の保冷倉への収納時に容器の位置決めが容易となり、容器を効率良く収納することができる。また前記容器を保冷倉に収納した後も容器の支持を容易にするとともに、容器に対する制振効果を向上させることができる。
【００２４】
また好ましくは、容器壁を多孔状に形成し、低温ブライン液又は冷風が流通可能に構成したことにより、容器と保冷倉間を循環する低温ブライン液又は冷風が容器内に流入して魚体との熱伝達効率が良くなるとともに、ブライン液を保冷倉に配置された既設のポンプ及び配管設備を使って容易に排出できるという利点がある。
【００２５】
また冷凍魚体の保冷を行うに際しては、低温ブライン液が入った前記容器に漁獲後の魚体を入れて急速凍結し、その後前記ブライン液を保冷倉から抜き出して他の保冷倉に移送した後、前記空間に極低温冷風を供給して魚体を極低温で保冷することにより、特に鮮度や鮮色の保持が重要なカツオやマグロ等の保冷に対しても、温度変動なく冷凍保存が可能であるため、鮮度や鮮色を十分保持することができる。
【００２６】
この場合、容器壁を密閉構造とすると、魚体の急速凍結処理後の保冷工程時に、保冷倉の内壁と容器との間の空間に極低温冷風を循環させて容器壁を冷却することにより、魚体に直接冷風が当たらないため、乾燥によって魚体の品質を低下させるおそれがないという利点がある。好ましくは容器壁を熱良導体で形成することにより、冷風の冷熱が容器内の魚体に良く伝達するようになり、効率の良い保冷能力を得ることができる。
【発明を実施するための最良の形態】
【００２７】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
図３は、本発明の第１実施例に係る保冷倉の構造を示す縦段立面図、図４は、前記第１実施例における防震ゴム又は積層ゴムの取付け構造を示す断面図、図５は、前記第１実施例における内蓋の断面図、図６は、同じく外蓋の断面図、図７は、前記第１実施例において、保冷倉を吊り上げた状態の縦断立面図、図８は、本発明の保冷倉を陸揚げする時の説明図、図９は、防震ゴム又は積層ゴムの配置例を示す保冷倉の側面図である。
【００２８】
本発明の第１実施例に係る保冷倉を示す図３において、１１は、防熱層からなる外側壁、１２は、保冷倉の外蓋であり、外蓋１２の外表面は漁船の甲板を構成する。１３は、外側壁１１との間に空間１５をもうけて設置された内側容器であり、その隔壁にはブライン液及び冷風が流通するための多数の細孔２１が設けられている。また容器１３は、保冷倉の外側壁１１及び底面２２に取り付けられた、シリコンゴムなどからなる防震ゴム又は積層ゴム１６によって、その側面及び底面が支持されているとともに、保冷倉の外側壁１１及び底面２２とは切り離されており、上部前面が開放され、後述するように魚体を収納した状態で吊り上げる際に、吊り上げが容易なように上部開口に向かって拡大した上広がりのテーパ形状をしており、またこれに合わせて防震ゴム又は積層ゴム１６の先端形状を傾斜面としている。１４は容器１３の内蓋である。
【００２９】
防震ゴム又は積層ゴム１６と容器１３との間の空間１５は、魚体の凍結又は保冷のために、低温ブライン液として通常ボーメ２２〜２４（濃度１７〜１８ｗ％）に調整された海水又は食塩水が冷凍機２０のブラインクーラ１９からポンプ２４によって供給されるか、あるいは極低温の冷風がポンプ２３によって冷凍機１８のエアクーラ１７から供給される。
漁獲物は、冷媒空間１５にブラインクーラ１９から−１５℃〜−２３℃のブライン液が供給された保冷倉の容器１３に活きたまま投入され、急速凍結される。その後ブライン液は排出管２６からポンプ２５によって取り出されて他の魚倉に移され、代わりに冷媒空間１５にエアクーラ１７からポンプ２３によって−４０℃近辺の極低温冷風が供給され、漁獲物を保冷する。
【００３０】
なお容器１３の隔壁は、細孔２１をなくし、ブライン液又は冷風が出入りできない遮蔽壁としてもよい。
細孔２１を有する場合は、ブライン液又は冷風が冷媒空間１５から魚体が収納された容器１３内に流入して魚体と接触し、魚体との熱伝達効率が良くなるとともに、ブライン液の排出がポンプ２５及び排出管２６によって容易に排出できるという利点がある。
【００３１】
一方容器１３が細孔２１を有さない遮蔽壁である場合は、好ましくは、同遮蔽壁を熱良導体で構成することにより、周囲の空間を循環する冷風によって容器壁面を冷却し、効率の良い保冷能力を得ることができるとともに、魚体に直接冷風が当たらないため、乾燥によって魚体の品質を低下させるおそれがないという利点がある。なお容器１３が細孔２１を有さない遮蔽壁である場合、魚体の急速凍結処理後容器１３からブライン液を排出する場合に、保冷倉に設けられたポンプ２５及び排出管２６が使用できないため、保冷倉の上部開口から容器１３内に配管を挿入してポンプによってブライン液を排出する必要がある。
【００３２】
図４は、防震ゴム又は積層ゴム１６の取付け構造を示す断面図で、防熱層３１の外板３２に溶接又はボルトで固定された取付プレート３３に防震ゴム又は積層ゴム１６が設けられている。また防震ゴム又は積層ゴム１６が容器１３の壁面と対面する側にはＳＵＳ板３４が被着されている。
図５は、容器５の内蓋１４の断面図で、図５において、内蓋１４は、断熱性を付与させるため、外側からアルミ板４１、ＦＲＰ材又は耐熱性発泡樹脂４２及びアルミ板又はＦＲＰ材４３からなる積層構造をなしている。
また図６は、保冷倉の外蓋１２の断面図で、図６において、外蓋１２は、その上面が甲板を構成するため、強度を付与する必要があり、そのため鉄板５４にボルト５３が植設され、同ボルトによって鉄板５４に木材５２が固定され、ボルト上方の空隙部には木栓５１が嵌め込まれて平坦な面をつくっている。
【００３３】
かかる構造の保冷倉において、魚体が収納された容器１３を陸揚げするに際しては、図７に示すように、まず外蓋１２を開け、内蓋１４をそのままにして、容器１３の上部四隅に設けられた吊り上げ用フック６１にワイヤ６２をひっ掛けて容器１３を吊り上げ、図８に示すように、容器１３を陸揚げする。
即ち図８において、１は、岸壁６４に横付けされた漁船で、目走クレーン６３によってワイヤ６２を引き上げることにより、容器１３を吊り上げて、岸壁６４上の例えば図示しない選別機の上に載置する。
【００３４】
かかる第１実施例の装置によれば、魚体の陸揚げに際しては、漁船内の魚倉で従来行なっていた極低温下という悪環境での凍った魚体の引き剥がし作業、及び引き剥がした魚体の荷揚げ作業を完全に不要として、例えば市場屋根６５下など、陸上のみでの作業となるため、作業環境を大幅に改善することができる。
また荷揚げ時間が大幅に短縮されるので、漁船の繋留時間も大幅に短縮され、これによって荷揚げに要する費用が大幅に低減される。
【００３５】
また本実施例の保冷倉は、保冷倉の上部開口及び容器１３の上部開口がともに全面開口となっているので、魚体の収納及び取り出しがきわめて簡便となる。
また容器１３の垂直方向断面形状を上広がりテーパ形状とし、かつ防震ゴム又は積層ゴム１６の先端形状を傾斜面としたことにより、容器１３の吊り上げが容易になるとともに、荷降ろし後の容器１３を保冷倉に再び収納する際に、位置決めが容易であり、その収納が簡単になる利点がある。また容器１３を保冷倉に収納した後も容器１３の支持を容易にするとともに、容器１３に対する制振効果を向上させることができる。
【００３６】
さらに容器１３の壁面と対面する側にＳＵＳ板３４が被着された防震ゴム又は積層ゴム１６によって容器１３を支持しているので、船体１のローリング及びピッチング等の揺動に起因した容器１３の揺れを効果的に押さえることができるとともに、また低摩擦性であるために、ＳＵＳ板３４の優れた防湿・絶縁性及び耐酸性によって、保冷倉の低温環境においても耐久性を高め、またその低摩擦性によって、容器壁との摺動面で低摩擦性を保持して漁船の揺れに起因した容器１３の揺れを効果的に逃がすことができる。
なお例えば図９に示すように、レール形状の防震ゴム又は積層ゴム１６を上下方向に互い違いに配置することによって、容器１３の位置決め及び収納が一層容易になるとともに、冷媒空間１５を循環するブライン液又は冷風の流通が良好になる利点がある。
【産業上の利用可能性】
【００３７】
本発明によれば、漁船で獲った漁獲物を冷凍及び保冷するための新規な構造の魚倉を提案し、この魚倉を使った、魚体の鮮度及び鮮色等を長期間保持し得る保冷方法を実現するとともに、漁獲物を漁船の保冷倉から陸揚げするに際し、従来の荷揚方法と比べて荷揚げに要する労力を画期的に低減し、かつ時間を大幅に低減できるとともに、荷揚げの作業環境を画期的に改善することができる荷揚方法を実現できて有益である。
【図面の簡単な説明】
【００３８】
【図１】本発明の保冷倉の構造を模式的に示した平面図である。
【図２】本発明の保冷倉の構造を模式的に示した立面図である。
【図３】本発明の第１実施例に係る保冷倉の構造を示す縦断立面図である。
【図４】前記第１実施例における防震ゴム又は積層ゴムの取付け構造を示す断面図である。
【図５】前記第１実施例における内蓋の断面図である。
【図６】前記第１実施例における外蓋の断面図である。
【図７】前記第１実施例において、保冷倉を吊り上げた状態の縦断立面図である。
【図８】本発明の保冷倉を陸揚げする時の説明図である。
【図９】本発明において防震ゴム又は積層ゴムの配置例を示す保冷倉の側面図である。
【図１０】従来の魚倉の構造を示す縦断立面図である。
【符号の説明】
【００３９】
１  漁船船体
２  保冷倉（魚倉）  
３  隔壁
４  制振材
５  容器    
６、１５  冷媒空間
７  床面
１１  外側壁
１２  外蓋
１３  魚体収納容器
１４  内蓋
１６  防震ゴム又は積層ゴム
１７  エアクーラ
１８  ブラインクーラ
１９、２０  冷凍機
２１  細孔
２２  底面
２３、２４、２５  ポンプ
２６  排出管
３１  防熱層
３２  外板
３３  取付プレート
３４  ＳＵＳ板
４１  アルミ板
４２  ＦＲＰ材又は耐熱性発泡樹脂
４３  アルミ板又はＦＲＰ材
５１  木栓
５２  木材
５３  ボルト
５４  鉄板
６１  吊上げ用フック
６２  ワイヤ
６３  目走クレーン
６４  岸壁
６５  市場屋根
【図１】
2006143084.tif 000003
【図２】
2006143084.tif 000004
【図３】
2006143084.tif 000005
【図４】
2006143084.tif 000006
【図５】
2006143084.tif 000007
【図６】
2006143084.tif 000008
【図７】
2006143084.tif 000009
【図８】
2006143084.tif 000010
【図９】
2006143084.tif 000011
【図１０】
2006143084.tif 000012